(57)【要約】【課題】ＡＦ動作とスルー画表示を両立したデジタル一眼レフカメラに於いて、逆入射光によって撮影した画像にフレアやゴーストイメージが生じてしまうことのないデジタルカメラを提供することである。【解決手段】カメラボディ１０内で、イメージャ３５への撮像光路内にハーフミラーで構成されたメインミラー１１が配置され、被写体光束の一部が観察光路側に導かれる。上記観察光路側には、リレー光学系と、該リレー光学系の結像位置にスクリーンと、該スクリーン上に形成された被写体像を観察するためのルーペ光学系とが、それぞれ配置されている。また、イメージャ３５による１コマ撮影動作に連動して上記観察光路を遮光する遮光部材９８が、観察光路内に配置されている。【選択図】図１
2007047197.tif 000002
【特許請求の範囲】
【請求項１】
撮像素子を含む撮像手段と、
上記撮像手段の撮像光路内に配置され、被写体光束の一部を観察光路側に導くハーフミラーと、
上記観察光路側に配置されたリレー光学系と、
上記リレー光学系の結像位置に配置されたスクリーンと、
上記スクリーン上に形成された被写体像を観察するためのルーペ光学系と、
上記撮像手段による１コマ撮影動作に連動して上記観察光路を遮光する遮光手段と、
を具備することを特徴とする一眼レフカメラ。
【請求項２】
上記ハーフミラーは可動であり、上記遮光手段は上記ハーフミラーの退避動作に連動して上記観察光路を遮光することを特徴とする請求項１に記載の一眼レフカメラ。
【請求項３】
上記一眼レフカメラは、上記ハーフミラーを介して被写体像を連続的に撮像するスルー画動作が可能であり、上記遮光手段は上記スルー画動作から上記１コマ撮影動作へ移行する際、上記ハーフミラーの退避動作に連動して上記観察光路を遮光することを特徴とする請求項２に記載の一眼レフカメラ。
【請求項４】
上記遮光手段は、上記ハーフミラーの退避動作に連動して遮光位置に移動する遮光板を含むことを特徴とする請求項３に記載の一眼レフカメラ。
【請求項５】
上記遮光手段は、上記ハーフミラーと、上記遮光板を連結する連結機構を含むことを特徴とする請求項４に記載の一眼レフカメラ。
【請求項６】
上記遮光板は、上記ハーフミラーの全面を覆う位置に移動して、上記観察光路を遮光することを特徴とする請求項４に記載の一眼レフカメラ。
【請求項７】
上記遮光手段は、上記観察光路を遮光するための絞り機構と、上記１コマ撮影動作に連動して上記絞り機構を駆動する駆動機構とを含むことを特徴とする請求項１に記載の一眼レフカメラ。
【請求項８】
撮影光路に配置された撮像素子と、
上記撮影光路内に配置されて被写体光束を分割する光路分割手段と、
上記光路分割手段により観察光路側に分割された上記被写体光束が結像する結像面を観察する観察光学系と、
上記撮像素子による１コマ撮影動作に連動して上記観察光路を遮光する遮光手段と、
を具備することを特徴とする一眼レフカメラ。
【請求項９】
上記光路分割手段はハーフミラーで構成されることを特徴とする請求項８に記載の一眼レフカメラ。
【請求項１０】
上記ハーフミラーは可動であり、上記遮光手段は上記ハーフミラーの退避動作に連動して上記観察光路を遮光することを特徴とする請求項９に記載の一眼レフカメラ。
【請求項１１】
上記一眼レフカメラは、上記ハーフミラーを介して被写体像を連続的に撮像するスルー画動作が可能であり、上記遮光手段は上記スルー画動作から上記１コマ撮影動作へ移行する際、上記ハーフミラーの退避動作に連動して上記観察光路を遮光することを特徴とする請求項１０に記載の一眼レフカメラ。
【請求項１２】
上記遮光手段は、上記ハーフミラーの退避動作に連動して遮光位置に移動する遮光板を含むことを特徴とする請求項１１に記載の一眼レフカメラ。
【請求項１３】
上記遮光手段は、上記ハーフミラーと、上記遮光板を連結する連結機構を含むことを特徴とする請求項１２に記載の一眼レフカメラ。
【請求項１４】
上記遮光板は、上記ハーフミラーの全面を覆う位置に移動して、上記観察光路を遮光することを特徴とする請求項１２に記載の一眼レフカメラ。
【請求項１５】
上記遮光手段は、上記観察光路を遮光するための絞り機構と、上記１コマ撮影動作に連動して上記絞り機構を駆動する駆動機構とを含むことを特徴とする請求項８に記載の一眼レフカメラ。
【発明の詳細な説明】
【技術分野】
【０００１】
本発明は一眼レフカメラに関し、より詳細には観察中の画像と撮影中の画像とを表示画面に表示可能なデジタルカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するデジタルカメラが一般的に知られている。
【０００３】
こうした被写体像を表示するカメラとしては、可動ミラーをハーフミラーで構成してライブビュー表示を可能にしたカメラが知られている（例えば、特許文献１参照）。
【特許文献１】特開２００１−１８６４０１号公報
【発明の開示】
【発明が解決しようとする課題】
【０００４】
上述した特許文献１に記載されたようなカメラは、被写体からの入射光をハーフミラーで分割している。このため、撮影者が接眼部から目を離して撮影するような場合、接眼部からファインダ光学系を介して、ハーフミラーから撮影光路内に逆入射光が進入することがあった。すると、この逆入射光によって、撮影した画像にフレアやゴーストイメージが生じてしまうという課題があった。
【０００５】
したがって、本発明は上記実情に鑑みてなされたものであり、ＡＦ動作とスルー画表示を両立したデジタル一眼レフカメラに於いて、逆入射光によって撮影した画像にフレアやゴーストイメージが生じてしまうことのないデジタルカメラを提供することを目的とする。
【課題を解決するための手段】
【０００６】
すなわち請求項１に記載の発明は、撮像素子を含む撮像手段と、上記撮像手段の撮像光路内に配置され、被写体光束の一部を観察光路側に導くハーフミラーと、上記観察光路側に配置されたリレー光学系と、上記リレー光学系の結像位置に配置されたスクリーンと、上記スクリーン上に形成された被写体像を観察するためのルーペ光学系と、上記撮像手段による１コマ撮影動作に連動して上記観察光路を遮光する遮光手段と、を具備することを特徴とする。
【０００７】
請求項２に記載の発明は、請求項１に記載の発明に於いて、上記ハーフミラーは可動であり、上記遮光手段は上記ハーフミラーの退避動作に連動して上記観察光路を遮光することを特徴とする。
【０００８】
請求項３に記載の発明は、請求項２に記載の発明に於いて、上記一眼レフカメラは、上記ハーフミラーを介して被写体像を連続的に撮像するスルー画動作が可能であり、上記遮光手段は上記スルー画動作から上記１コマ撮影動作へ移行する際、上記ハーフミラーの退避動作に連動して上記観察光路を遮光することを特徴とする。
【０００９】
請求項４に記載の発明は、請求項３に記載の発明に於いて、上記遮光手段は、上記ハーフミラーの退避動作に連動して遮光位置に移動する遮光板を含むことを特徴とする。
【００１０】
請求項５に記載の発明は、請求項４に記載の発明に於いて、上記遮光手段は、上記ハーフミラーと、上記遮光板を連結する連結機構を含むことを特徴とする。
【００１１】
請求項６に記載の発明は、請求項４に記載の発明に於いて、上記遮光板は、上記ハーフミラーの全面を覆う位置に移動して、上記観察光路を遮光することを特徴とする。
【００１２】
請求項７に記載の発明は、請求項１に記載の発明に於いて、上記遮光手段は、上記観察光路を遮光するための絞り機構と、上記１コマ撮影動作に連動して上記絞り機構を駆動する駆動機構とを含むことを特徴とする。
【００１３】
請求項８に記載の発明は、撮影光路に配置された撮像素子と、上記撮影光路内に配置されて被写体光束を分割する光路分割手段と、上記光路分割手段により観察光路側に分割された上記被写体光束が結像する結像面を観察する観察光学系と、上記撮像素子による１コマ撮影動作に連動して上記観察光路を遮光する遮光手段と、を具備することを特徴とする。
【００１４】
請求項９に記載の発明は、請求項８に記載の発明に於いて、上記光路分割手段はハーフミラーで構成されることを特徴とする。
【００１５】
請求項１０に記載の発明は、請求項９に記載の発明に於いて、上記ハーフミラーは可動であり、上記遮光手段は上記ハーフミラーの退避動作に連動して上記観察光路を遮光することを特徴とする。
【００１６】
請求項１１に記載の発明は、請求項１０に記載の発明に於いて、上記一眼レフカメラは、上記ハーフミラーを介して被写体像を連続的に撮像するスルー画動作が可能であり、上記遮光手段は上記スルー画動作から上記１コマ撮影動作へ移行する際、上記ハーフミラーの退避動作に連動して上記観察光路を遮光することを特徴とする。
【００１７】
請求項１２に記載の発明は、請求項１１に記載の発明に於いて、上記遮光手段は、上記ハーフミラーの退避動作に連動して遮光位置に移動する遮光板を含むことを特徴とする。
【００１８】
請求項１３に記載の発明は、請求項１２に記載の発明に於いて、上記遮光手段は、上記ハーフミラーと、上記遮光板を連結する連結機構を含むことを特徴とする。
【００１９】
請求項１４に記載の発明は、請求項１２に記載の発明に於いて、上記遮光板は、上記ハーフミラーの全面を覆う位置に移動して、上記観察光路を遮光することを特徴とする。
【００２０】
請求項１５に記載の発明は、請求項８に記載の発明に於いて、上記遮光手段は、上記観察光路を遮光するための絞り機構と、上記１コマ撮影動作に連動して上記絞り機構を駆動する駆動機構とを含むことを特徴とする。
【発明の効果】
【００２１】
本発明によれば、ＡＦ動作とスルー画表示を両立したデジタル一眼レフカメラに於いて、逆入射光によって撮影した画像にフレアやゴーストイメージが生じてしまうことのないデジタルカメラを提供することができる。
【発明を実施するための最良の形態】
【００２２】
以下、図面を参照して、本発明の実施形態を説明する。
【００２３】
（第１の実施形態）
図１及び図２は、本発明の第１の実施形態を示すもので、本発明に係るデジタル一眼レフカメラの本体部の構成を示す断面図であり、図１は被写体観察時の状態を示した図、図２は撮影時の状態を示した図である。
【００２４】
図１及び図２に於いて、このデジタル一眼レフカメラ（以下、カメラと略記する）は、図示されない交換レンズと、カメラ本体部としてのカメラボディ１０から主に構成されており、該カメラボディ１０の前面部に設けられたボディマウント４５に、所望の交換レンズが着脱自在に装着される。
【００２５】
図示されない交換レンズより入射された被写体光束は、ハーフミラーで構成されたメインミラー１１の表面で反射され、更にカバーガラス１２を介してプリズム１３に入射する。プリズム１３に入射された被写体光束は、プリズム１３内の反射面とミラーＡ（以下、ミラー（Ａ）と記す）１５で反射され、複数のレンズで構成されるリレー系レンズ１６を介して、更にミラーＢ（以下、ミラー（Ｂ）と記す）１７及びミラーＣ（以下、ミラー（Ｃ）と記す）１８で反射され、フォーカシングスクリーン１９、複数のレンズで構成された接眼系レンズ（ルーペ光学系）２０を通って、ファインダ２８より図示されない撮影者の眼により観察される。
【００２６】
尚、上記プリズム１３、ミラー（Ａ）１５、リレー系レンズ１６、ミラー（Ｂ）１７及びミラー（Ｃ）１８は、リレー光学系を構成している。これらリレー光学系は、カバーガラス１２の近傍で結像した被写体像を、フォーカシングスクリーン１９に再度結像させるためのものである。尚、カバーガラス１２は、リレー光学系側に塵埃が進入することを防止するために設けられている。
【００２７】
上記ミラー（Ｂ）１７はハーフミラーで構成されているもので、その入射光の一部はミラー（Ｂ）１７を透過し、該ミラー（Ｂ）１７の後方に配置されたＡＦ光学系２５を介して自動測距を行うためのＡＦセンサ２７に導かれる。上記ＡＦ光学系２５は、光束を集めるためのコンデンサレンズ２１と、光束を制限するセパレータ絞り２２と、光束を再結像させるセパレータレンズ２３とから構成されている。
【００２８】
また、ミラー（Ｃ）１８の近傍には、ファインダ２８内に撮影情報等を表示するためのファインダ内表示用ＬＣＤ２９と、このファインダ内表示用ＬＣＤ２９で表示された撮影情報等を、接眼系レンズ２０を介して撮影者の眼に導くための表示プリズム３０が配置されている。
【００２９】
上記メインミラー１１は、軸１１ａを中心に回動可能に設けられている。このメインミラー１１は、被写体観察時は図１に示される位置に配置されており、撮影時は軸１１ａを中心に上方に移動して、図２に示されるように、撮影光路より退避された位置（退避位置）となる。また、本実施形態に於いて、上記メインミラー１１は回動可能なハーフミラーで構成しているが、これに限られるものではなく、入射光束を上述したリレー光学系側と後述するイメージャ３５側とに分割するものであれば、回動可能な反射ミラーで構成してもよいものである。
【００３０】
撮影光軸上でメインミラー１１の後方には、フォーカルプレーンシャッタ３３、ローパスフィルタ３４、及びイメージャプレート３６に装着された撮像手段としてのイメージャ（撮像素子）３５が、配設されている。また、イメージャプレート３６の後方には、種々の電気部品が装填された基板３８が配置されている。更に、この基板３８の後方には、液晶ディスプレイ等で構成された表示手段としてのモニタ４０が配置されている。撮影者は、カメラボディ１０の背面側に設けられたモニタ窓４１を通して、モニタ４０の画面に表示された画像を視認することができる。
【００３１】
また、上記カバーガラス１２の近傍でメインミラー１１の両側には、詳細を後述する遮光手段として遮光部９８を構成する遮光プレートＬ１（以下、遮光プレート（Ｌ１）と記す）１０２ａ、遮光プレートＲ１（以下、遮光プレート（Ｒ１）と記す）１０２ｂ及び遮光プレートＬ２（以下、遮光プレート（Ｌ２）と記す）１０３ａ、遮光プレートＲ２（以下、遮光プレート（Ｒ２）と記す）１０３ｂが設けられている。尚、図１及び図２には、片側の遮光プレート（Ｌ１）１０２ａ及び遮光プレート（Ｌ２）１０３ａのみ示される。
【００３２】
図３は図１及び図２に示された遮光部９８の構成を示すもので、（ａ）はメインミラー１１が観察位置にある状態での一部を分解して示す斜視図、（ｂ）はメインミラー１１が退避位置にある状態での斜視図、（ｃ）はメインミラー１１が観察位置にある状態での一方の遮光プレートの状態を示す側面図である。
【００３３】
図３（ａ）に示されるように、遮光部９８の主構成部材である遮光プレートは、メインミラー１１の左右両側部に設けられる。メインミラー１１は、メインミラー枠１００に装着されている。このメインミラー枠１００は、その一端である上記軸１１ａの側に、メインミラー１１が回動するための軸１１ａを受けるための軸受け１０１ａ及び１０１ｂが形成されている。一方、メインミラー枠１００の他端には、後述するメインミラー枠押圧部１０８ａ、１０８ｂによって押圧される当接部１００ａ及び１００ｂが形成されている。
【００３４】
一方の側の遮光プレート（Ｌ１）１０２ａと遮光プレート（Ｌ２）１０２ｂは、図３（ａ）及び（ｃ）に示されるように、軸１０６ａに巻回されたダウンバネ１０７ａによって、軸１０６ａを中心に回動自在に結合されて連結機構として構成されている。上記ダウンパネ１０７ａは、遮光プレート（Ｌ１）１０２ａ、（Ｌ２）１０２ｂを開く方向に付勢するもので、メインミラー１１が観察状態にあるときが最大となる。
【００３５】
また、一方の遮光プレート（Ｌ１）１０２ａ、（Ｌ２）１０３ａのうち、図３（ａ）に於いて上側の遮光プレート（Ｌ１）１０２ａの上端部には、該遮光プレート（Ｌ１）１０２ａ、（Ｌ２）１０２ｂを開閉させるための軸１０５ａが設けられている。一方、下側の遮光プレート（Ｌ２）１０３ａの下端部には、該遮光プレート（Ｌ１）１０２ａ、（Ｌ２）１０２ｂを開閉させるための上下動ガイド１０９ａが形成されている。この上下動ガイド１０９ａは、該ガイド近傍に形成されたガイド溝１１０ａに沿って移動する。更に、遮光プレート（Ｌ２）１０３ａの下端部には、上述したメインミラー枠１００の当接部１００ａに当接するメインミラー枠押圧部１０８が形成されている。
【００３６】
尚、ここでは一方の遮光プレートとして遮光プレート（Ｌ１）１０２ａ、（Ｌ２）１０３ａの側について説明したが、もう一方の遮光プレート（Ｒ１）１０２ｂ、（Ｒ２）１０３ｂについても同様の構成であるので、各参照番号のａをｂに替えて、ここでの説明は省略するものとする。
【００３７】
いま、図３（ａ）に示される観察状態（観察位置）であるとすると、遮光プレート（Ｌ１）１０２ａ、（Ｌ２）１０３ａ及び遮光プレート（Ｒ１）１０２ｂ、（Ｒ２）１０３ｂは、それぞれダウンバネ１０７ａ及び１０７ｂ（図示せず）の付勢力によって、軸１０６ａ及び１０６ｂを中心に開かれた状態となる。そして、メインミラー枠押圧部１０８ａ及び１０８ｂがメインコントローラ枠１００の当接部１００ａ及び１００ｂを押圧して、メインミラー１１の位置が固定される。
【００３８】
そして、後述するシャッタミラー駆動モータ５２によってメインミラー１１が軸１１ａを中心に上方に回転されると、メインコントローラ枠１００の当接部１００ａ及び１００ｂが上昇し、該当接部１００ａ及び１００ｂに当接しているメインミラー枠押圧部１０８ａ及び１０８ｂが上方に押し上げられる。このとき、遮光プレート（Ｌ２）１０３ａ及び（Ｒ２）１０３ｂに形成されている上下動ガイド１０９ａ及び１０９ｂが、ガイド溝１１０ａ及び１１０ｂに沿って上方向に移動する。すると、遮光プレート（Ｌ１）１０２ａ、（Ｌ２）１０３ａ及び遮光プレート（Ｒ１）１０２ｂ、（Ｒ２）１０３ｂは、それぞれ軸１０６ａ及び１０６ｂを中心に内側、すなわち観察光路内に折り曲げられる。
【００３９】
そして、メインミラー１１が上昇して、図３（ｂ）に示される撮影状態（退避位置）になると、メインミラー１１上に、軸１０６ａ及び１０６ｂを中心に遮光プレート（Ｌ１）１０２ａ、（Ｌ２）１０３ａ及び遮光プレート（Ｒ１）１０２ｂ、（Ｒ２）１０３ｂが折り畳まれた状態となる。このとき、遮光プレート（Ｌ１）１０２ａ及び遮光プレート（Ｒ１）１０２ｂは、遮光面１０２ａ1 及び１０２ｂ1 を上にして折り畳まれている。
【００４０】
つまり、この遮光部９８は、メインミラー１１の動きに連動して動作するものである。これによって、ファィンダ光学系を介して入射する逆入射光を防ぐことができる。
【００４１】
尚、ここでは、メインミラー１１が観察位置から退避位置へ移行する例で説明したが、退避位置から観察位置に移行する場合は上述した説明と逆の動きになる。したがって、ここでの説明は省略する。
【００４２】
図４は、本実施形態に於けるデジタル一眼レフカメラの電気系の構成を示すブロック図である。尚、このカメラのブロック図は、交換レンズが装着された状態を示している。
【００４３】
図４に於いて、演算部５０は、このカメラ全体の制御を司ると共に演算を行うためのもので、例えばＣＰＵ等により構成される。この演算部５０には、モータ駆動回路５１を介してシャッタミラー駆動モータ５２が接続されると共に、シャッタ制御回路５３を介してフォーカルプレーンシャッタ３３が接続されている。
【００４４】
また、上記演算部５０には、ＡＦセンサ２７及び被写体の明るさを測定する測光センサ５６と、シャッタチャージが行われたときに切り替わるチャージカムスイッチ（ＳＷ）５７と、フォーカルプレーンシャッタ３３の先幕（図示せず）に取り付けられるもので、シャッタの開口部の全開状態を検出するための先幕スイッチ（ＳＷ）５８と、イメージャ３５を駆動するためのイメージャ駆動回路６０と、モニタ４０を駆動するためのモニタ駆動回路６２と、ファインダ内表示用ＬＣＤ２９を駆動するためのＬＣＤ駆動回路６３とが接続されている。
【００４５】
更に、演算部５０には、操作釦６５と、操作ダイヤル６６と、レリーズスイッチ（ＳＷ）６７と、記録メディア６９と、メモリ７０と、画像データメモリ７１とが接続されている。操作釦６５は、図示されないがメニュー釦、十字キー、ＯＫ釦等から成るもので、このカメラに種々の操作を行わせるためのものである。操作ダイヤル６６は、撮影時の撮影モードやスルー画モード等の選択を行うための操作部材である。
【００４６】
レリーズスイッチ６７は、撮影準備動作及び露光動作を実行させるための釦である。このレリーズスイッチ６７は、第１レリーズスイッチと第２レリーズスイッチの２段式のスイッチで構成されており、図示されないレリーズ釦が半押し操作されることによって、第１レリーズスイッチがオンされて測光処理や測距処理などの撮影準備動作が実行される。また、上記レリーズ釦が全押し操作されることによって、第２レリーズスイッチがオンされて露光動作が実行される。
【００４７】
上記記録メディア６９は、図示されないカメラのインターフェイスを介してカメラボディ１０に対し脱着可能な各種のメモリカードや外付けのハードディスクドライブ（ＨＤＤ）等の記録媒体である。メモリ７０は、デジタルカメラ全体の制御を行うための制御プログラムが予め記憶されているものである。また、画像データメモリ７１は、画像データを一時的に保管するためのメモリである。
【００４８】
一方、交換レンズ８０には、該交換レンズ８０内の各部を駆動制御するもので、ＣＰＵ等で構成された演算部８１を有している。この演算部８１には、モータ駆動回路８２を介してフォーカスモータ８３と、絞り駆動回路８４を介して絞りモータ８５と、フォーカスパルスカウンタ８７と、ズームエンコーダ８８と、メモリ９０とが接続されている。
【００４９】
上記フォーカスモータ８３は、上記カメラボディ１０内のＡＦセンサ２７の測距結果に基づいて図示されないフォーカスレンズを駆動するためのモータである。同様に、絞りモータ８５は、上記カメラボディ１０内の測光センサ５６の測光結果に基づいて、交換レンズ８０内の図示されない絞りを駆動するためのモータである。フォーカスパルスカウンタ８７は、上記フォーカスレンズを駆動させるにあたり、該フォーカスレンズの移動を検出して位置制御を行うためのものである。また、ズームエンコーダ８８は、図示されない撮影レンズの焦点距離に応じた移動信号を検出して演算部８１に出力する。更に、メモリ９０は、この交換レンズ８０内のレンズ情報が記憶されている記憶手段である。
【００５０】
尚、演算部８１は、図示されない通信コネクタ等を介して、カメラボディ１０内の演算部５０と電気的に接続がなされる。そして、演算部８１は、カメラボディ１０の演算部５０の指令に従って制御される。
【００５１】
次に、本発明の第１の実施形態に係るカメラの動作について説明する。
【００５２】
このカメラは、通常はスルー画モードではなくファインダを介して被写体像を観察できるようになっているが、ここでは本発明の特徴であるスルー画モードでの撮影動作について説明する。
【００５３】
図５は、第１の実施形態に於いてスルー画モードでのカメラの動作を説明するフローチャートである。
【００５４】
スルー画モードのルーチンに入ると、先ず、ステップＳ１に於いて、上述した２段式のレリーズスイッチ６７の半押し状態である第１（１ｓｔ）レリーズスイッチの状態が判定される。ここでは、第１レリーズスイッチがオンされるまで待機する。そして、第１レリーズスイッチがオンされたならば、続くステップＳ２に於いて、合焦したか否かが判定される。ここで、合焦していない場合は、ステップＳ３に移行して再度第１レリーズスイッチの状態が判定される。そして、このステップＳ３にて第１レリーズスイッチがオンされているならば、ステップＳ４に移行してピントずれ量が演算され、更にステップＳ５にて、上記ステップＳ４で演算されたピントずれ量に基づいて、モータ駆動回路８２を介してフォーカスモータ８３が駆動されて撮影レンズが調整される。その後、上記ステップＳ２へ移行する。一方、上記ステップＳ３にて第１レリーズスイッチがオフになったならば、上記ステップＳ１へ移行する。
【００５５】
上記ステップＳ２に於いて合焦したならば、ステップＳ６へ移行して測光及びその処理の演算が行われる。ここでは、絞り値、シャッタ速度が決定される。次いで、ステップＳ７に於いて、上述した２段式のレリーズスイッチ６７の全押し状態である第２（２ｎｄ）レリーズスイッチの状態が判定される。ここで、第２レリーズスイッチがオンされていない場合は、ステップＳ８に移行して第１レリーズスイッチの状態が判定される。そして、ステップＳ８で第１レリーズスイッチがオンされている場合は上記ステップＳ２へ移行し、オンされていない場合は上記ステップＳ１へ移行して、それぞれ以降の処理動作が繰り返される。
【００５６】
上記ステップＳ７にて第２レリーズスイッチがオンされたならば、ステップＳ９へ移行してモニタ４０が消灯される。続いてステップＳ１０にてモータ駆動回路５１を介してシャッタミラー駆動モータ５２が駆動される。次いで、ステップＳ１１にて、イメージャ駆動回路６０を介して、イメージャ３５がオフにされる。この後、ステップＳ１２に於いて、シャッタ幕の閉鎖、及びメインミラー１１がアップ、すなわち撮影光路内から図示されない退避位置まで移動したか否かが判定され、シャッタ幕の閉鎖及びメインミラー１１の移動が完了するまで待機する。そして、シャッタ幕の閉鎖、メインミラー１１のアップが完了したならば、ステップＳ１３にて、シャッタミラー駆動モータ５２が停止される。
【００５７】
ここで、ステップＳ１４にて、イメージャ３５による露光、すなわちイメージャ３５がオンにされて、図示されないシャッタの先幕、後幕が走行されて撮像が行われる。また、イメージャ３５がオフにされる。続いて、ステップＳ１５では、この撮像によって取り込まれた被写体像が読み出され、更にステップＳ１６にて絞りモータ８５が駆動される。
【００５８】
そして、ステップＳ１７では、シャッタ制御回路５３によるシャッタ幕の開放、及びシャッタミラー駆動モータ５２によるメインミラー１１のダウン（退避位置から撮影光路内への復帰）が完了するまで待機する。そして、シャッタ幕の開放及びメインミラー１１のダウンが完了したならば、ステップＳ１８に移行してシャッタミラー駆動モータ５２が停止される。
【００５９】
次に、ステップＳ１９に於いて、イメージャ３５がオンされてスルー画が表示可能状態となる。そして、ステップＳ２０にて、モニタ４０が点灯される。これにより、モニタ４０を通じて、イメージャ３５で撮像されたスルー画としての被写体像を確認することができる。その後、上記ステップＳ１に移行する。
【００６０】
このように、第１の実施形態によれば、ＡＦ動作とスルー画表示が可能なデジタル一眼レフカメラに於いて、逆入射光によって撮影した画像にフレアやゴーストイメージが生じることを防ぐことができる。
【００６１】
次に、図６乃至図８を参照して、第１の実施形態の変形例を説明する。
【００６２】
図６及び図７は本発明の第１の実施形態の変形例を示すもので、図６は本発明に係るデジタル一眼レフカメラの本体部の構成を示す断面図であって被写体観察時の状態を示した図、図７は本発明に係るデジタル一眼レフカメラの本体部の構成を示す断面図であって撮影時の状態を示した図である。また、図８は図６及び図７に示される遮光部９９の構成を示した分解斜視図である。
【００６３】
尚、本第１の実施形態の変形例に於いて、上述した第１の実施形態と異なるのは遮光部のみであり、それ以外の部分については上述した第１の実施形態のカメラボディ１０の構成と同じである。したがって、説明の重複を避けるため、以下の説明に於いて、同一の部分には同一の参照番号を付して、その図示及び説明を省略し、異なる部分についてのみ説明する。
【００６４】
カメラボディ１０ａに於いて、遮光部９９の主構成部材である遮光プレート１２５は、メインミラー１１の下方に設けられる。メインミラー１１は、メインミラー枠１１５に装着されている。このメインミラー枠１１５は、その一端である軸１１ａの側に、メインミラー１１が回動するための軸１１ａを受けるための軸受け１１６ａ及び１１６ｂが形成されている。一方、メインミラー枠１１５の他端には、遮光プレート１２５を回動自在に保持するための軸受け１１７ａ及び１１７ｂが形成されている。
【００６５】
上記メインミラー１１は、図示されないミラーボックスの保持部材１２０ａ及び１２０ｂに形成された軸受け孔１２１ａ及び１２１ｂに軸１１ａが軸支されることによって、回動自在に保持されている。同様に、遮光プレート１２５の一端部に形成された軸部１２６ａ及び１２６ｂが上記軸受け１１７ａ及び１１７ｂに軸支されることによって、遮光プレート１２５が軸部１２６ａ及び１２６ｂを中心に回動自在に保持される。
【００６６】
また、遮光プレート１２５には、上記軸部１２６ａ及び１２６ｂから所定間隔をおいて、軸部１２７ａ及び１２７ｂが形成されている。該軸部１２７ａ及び１２７ｂは、プレート駆動レバーＬ（以下、プレート駆動レバー（Ｌ）と記す）１２３ａ及びプレート駆動レバーＲ（以下、プレート駆動レバー（Ｒ）と記す）１２３ｂの一端部に形成された軸受け１２３ａ2 及び１２３ｂ2 に回動可能に軸支される。同様に、プレート駆動レバー（Ｌ）１２３ａ及びプレート駆動レバー（Ｒ）１２３ｂの他端部には、軸受け１２３ａ1 及び１２３ｂ1 が形成される。該軸受け１２３ａ1 及び１２３ｂ1 は、上記保持部材１２０ａ及び１２０ｂの、上記軸受け孔１２１ａ及び１２１ｂの下方で所定間隔を置いた位置に形成された軸受け孔１２２ａ及び１２２ｂに回動可能に軸支される。
【００６７】
このような構成に於いて、メインミラー１１が、図６に示される観察状態（観察位置）から図７に示される撮影状態（退避位置）に移動する場合について説明する。
【００６８】
観察状態から、シャッタミラー駆動モータ５２によってメインミラー１１が軸１１ａを中心に上方に回転される。すると、遮光プレート１２５の軸部１２６ａ及び１２６ｂと軸受け１１７ａ及び１１７ｂとのリンクによって遮光プレート１２５も上昇する。このとき、遮光プレート１２５は、軸部１２７ａ及び１２７ｂとプレート駆動レバー（Ｌ）１２３ａ及び（Ｒ）１２３ｂのリンクによって、上記軸部１２６ａ及び１２６ｂを中心に回転される。そして、メインミラー１１が上昇して、図７に示される撮影状態になると、メインミラー１１の下方で、ほぼ平行に遮光プレート１２５が位置された状態となる。
【００６９】
つまり、図６に示されるように、メインミラー１１は軸１１ａを中心に矢印Ａ方向に回動され、遮光プレート１２５は軸１２６を中心に矢印Ｂ方向に回動される。
【００７０】
このようにして、ファィンダ光学系を介して入射する逆入射光を防ぐことができる。
【００７１】
尚、ここでは、メインミラー１１が観察位置から退避位置へ移行する例で説明したが、退避位置から観察位置に移行する場合は上述した説明と逆の動きになる。したがって、ここでの説明は省略する。
【００７２】
（第２の実施形態）
次に、本発明の第２の実施形態について説明する。
【００７３】
上述した第１の実施形態では、遮光部として遮光プレートを用いてファインダ光学系からの逆入射光を遮光していたのに対し、本第２の実施形態では、ファインダ光学系の途中にファインダ絞りを設けて遮光を行うようにしている。
【００７４】
尚、本第２の実施形態に於けるカメラボディは、遮光部をファインダ絞りで構成している以外は、上述した第１の実施形態のカメラボディ１０の構成と同じである。したがって、説明の重複を避けるため、以下の説明に於いて、同一の部分には同一の参照番号を付して、その図示及び説明を省略し、異なる部分についてのみ説明する。
【００７５】
図９は、本発明の第２の実施形態を示すもので、本発明に係るデジタル一眼レフカメラの本体部の構成を示す断面図であり、被写体観察時の状態を示した図である。
【００７６】
図９に於いて、このカメラボディ１０ｂが図１に示されるカメラボディ１０と異なるのは、遮光部がメインミラー１１近傍ではなく、リレー光学系１６とミラー（Ｂ）１７の間にファインダ絞り１３０として配置されていることである。
【００７７】
このファインダ絞り１３０は、例えば、絞り羽根により構成される。そして、被写体観察時にはファインダ絞り１３０が開かれ、撮影時には閉じられるように動作する。
【００７８】
図１０は、本第２の実施形態に於けるデジタル一眼レフカメラの電気系の構成を示すブロック図である。尚、このカメラのブロック図は、交換レンズが装着された状態を示している。
【００７９】
図１０に於いて、このカメラボディ１０ｂ内の演算部５０には、モータ駆動回路１３１を介して、絞り機構であるファインダ絞り１３０を動作させるためのファインダ絞りモータ１３２が接続されている。このファインダ絞りモータ１３２は、ステップピングモータにより構成される。そして、駆動機構を構成するこれらファインダ絞りモータ１３２とモータ駆動回路１３１以外の構成は、図４に示される上述した第１の実施形態のカメラボディ１０と同じである。したがって、説明の重複を避けるため、同一の部分には同一の参照番号を付して、その図示及び説明を省略するものとする。
【００８０】
図１１は、第２の実施形態に於けるデジタル一眼レフカメラのスルー画モードの動作を説明するフローチャートである。
【００８１】
尚、第２の実施形態の図１１のフローチャートに於いて、ステップＳ３１〜Ｓ４１、ステップＳ４３〜Ｓ４６、及びステップＳ４８〜５２の処理動作は、上述した第１の実施形態の図５のフローチャートに於けるステップＳ１〜Ｓ１１、ステップＳ１２〜Ｓ１５、及びステップＳ１６〜Ｓ２０と同じであるので、説明の重複を避けるため、それぞれ対応するステップの処理動作を行うものとしてここでの説明は省略する。
【００８２】
スルー画モードのルーチンに入り、ステップＳ１〜Ｓ４１によって、イメージャ３５がオフにされると、続くステップＳ４２に於いて、ファインダ絞りモータ１３２によってファィンダ絞り１３０が絞り込まれて遮光状態となる。次いで、ステップＳ４３にて、シャッタ幕の閉鎖及びメインミラー１１のアップが完了したか否かが判定される。ここで、シャッタ幕の閉鎖、メインミラー１１のアップが完了したならば、ステップＳ４４〜Ｓ４６にて、シャッタミラー駆動モータ５２の停止、イメージャ３５による露光、被写体像の読み出しが行われる。
【００８３】
そして、ステップＳ４７にて、上記ステップＳ４２で閉じられていたファィンダ絞り１３０が、ファインダ絞りモータ１３２の駆動によって開放される。その後、ステップＳ４８〜Ｓ５２にて、シャッタ幕の開放及びメインミラー１１のダウン、シャッタミラー駆動モータ５２の停止、更にはイメージャ３５がオンされて、該イメージャ３５で撮像されたスルー画としての被写体像を、モニタ４０を通じて確認することができる。その後、上記ステップＳ１に移行する。
【００８４】
このように、第２の実施形態によれば、ＡＦ動作とスルー画表示が可能なデジタル一眼レフカメラに於いて、ファィンダ光学系に設けられたファインダ絞りによって逆入射光を防ぐことができる。
【００８５】
尚、第２の実施形態に於いて、上記メインミラー１１は回動可能なハーフミラーで構成しているが、これに限られるものではなく、入射光束を上述したリレー光学系側と後述するイメージャ３５側とに分割するものであれば、固定式のハーフミラーや光を透過しない回動可能な反射ミラーで構成してもよいものである。
【００８６】
図１２は、第２の実施形態の変形例であって、本発明に係るデジタル一眼レフカメラの本体部の構成を示す断面図であり、被写体観察時の状態を示した図である。
【００８７】
図１２に於いて、このカメラボディ１０ｃが図９に示されるカメラボディ１０ｂと異なるのは、遮光部がメインミラー１１近傍ではなく、フォーカシングスクリーン１９と接眼系レンズ２０との間にファインダ絞り１３０として配置されていることである。
【００８８】
尚、本第２の実施形態の変形例に於けるカメラボディ１０ｃは、図９のカメラボディ１０ｂとはファインダ絞りの配置が異なるだけであり、その他の構成は、図９に示される第２の実施形態のカメラボディ１０ｂの構成と同じである。また、その動作についても上述した第２の実施形態と同じであるので、同一の部分には同一の参照番号を付して、その構成及び動作の説明は省略する。
【００８９】
以上、本発明の実施形態について説明したが、本発明は上述した実施形態以外にも、本発明の要旨を逸脱しない範囲で種々の変形実施が可能である。
【図面の簡単な説明】
【００９０】
【図１】本発明の第１の実施形態を示すもので、本発明に係るデジタル一眼レフカメラの本体部の構成を示す断面図であり、被写体観察時の状態を示した図である。
【図２】本発明の第１の実施形態を示すもので、本発明に係るデジタル一眼レフカメラの本体部の構成を示す断面図であり、撮影時の状態を示した図である。
【図３】図１及び図２に示された遮光部９８の構成を示すもので、（ａ）はメインミラー１１が観察位置にある状態での一部を分解して示す斜視図、（ｂ）はメインミラー１１が退避位置にある状態での斜視図、（ｃ）はメインミラー１１が観察位置にある状態での一方の遮光プレートの状態を示す側面図である。
【図４】本発明の第１の実施形態に於けるデジタル一眼レフカメラの電気系の構成を示すブロック図である。
【図５】本発明の第１の実施形態に於いてスルー画モードでのカメラの動作を説明するフローチャートである。
【図６】本発明の第１の実施形態の変形例を示すもので、本発明に係るデジタル一眼レフカメラの本体部の構成を示す断面図であって被写体観察時の状態を示した図である。
【図７】本発明の第１の実施形態の変形例を示すもので、本発明に係るデジタル一眼レフカメラの本体部の構成を示す断面図であって撮影時の状態を示した図である。
【図８】本発明の第１の実施形態の変形例を示すもので、図６及び図７に示される遮光部９９の構成を示した分解斜視図である。
【図９】本発明の第２の実施形態を示すもので、本発明に係るデジタル一眼レフカメラの本体部の構成を示す断面図であり、被写体観察時の状態を示した図である。
【図１０】本発明の第２の実施形態に於けるデジタル一眼レフカメラの電気系の構成を示すブロック図である。
【図１１】本発明の第２の実施形態に於けるデジタル一眼レフカメラのスルー画モードの動作を説明するフローチャートである。
【図１２】本発明の第２の実施形態の変形例であって、本発明に係るデジタル一眼レフカメラの本体部の構成を示す断面図であり、被写体観察時の状態を示した図である。
【符号の説明】
【００９１】
１０、１０ａ、１０ｂ、１０ｃ…カメラボディ、１１…メインミラー、１２…カバーガラス、１３…プリズム、１５…ミラーＡ（ミラー（Ａ））、１６…リレー系レンズ、１７…ミラーＢ（ミラー（Ｂ））、１８…ミラーＣ（ミラー（Ｃ））、１９…フォーカシングスクリーン、２０…接眼系レンズ、２１…コンデンサレンズ、２２…セパレータ絞り、２３…セパレータレンズ、２５…ＡＦ光学系、２８…ファィンダ、２９…ファインダ内表示用ＬＣＤ、３０…表示プリズム、３３…フォーカルプレーンシャッタ、３４…ローパスフィルタ、３５…イメージャ、３６…イメージャプレート、３８…基板、４０…モニタ、４１…モニタ窓、４５…ボディマウント、５０…演算部、５１…モータ駆動回路、５２…シャッタミラー駆動モータ、５３…シャッタ制御回路、５６…測光センサ、５７…チャージカムスイッチ（ＳＷ）、５８…先幕スイッチ（ＳＷ）、６０…イメージャ駆動回路、６１…サブイメージャ駆動回路、６２…モニタ駆動回路、６３…ＬＣＤ駆動回路、６５…操作釦、６６…操作ダイヤル、６７…レリーズスイッチ（ＳＷ）、６９…記録メディア、７０…メモリ、７１…画像データメモリ、７３…調光ミラー駆動回路、８０…交換レンズ、８１…演算部、８２…モータ駆動回路、８３…フォーカスモータ、８４…絞り駆動回路、８５…絞りモータ、８７…フォーカスパルスカウンタ、８８…ズームエンコーダ、９０…メモリ、９８、９９…遮光部、１００…メインミラー枠、１００ａ、１００ｂ…当接部、１０２ａ…遮光プレートＬ１（遮光プレート（Ｌ１））、１０２ｂ…遮光プレートＬ２（遮光プレート（Ｌ２））、１０３ａ…遮光プレートＲ１（遮光プレート（Ｒ１））、１０３ｂ…遮光プレートＲ２（遮光プレート（Ｒ２））、１０７ａ、１０７ｂ…ダウンバネ、１０８ａ、１０８ｂ…メインミラー枠押圧部、１０９ａ、１０９ｂ…上下動ガイド、１１０ａ、１１０ｂ…ガイド溝。
【図１】
2007047197.tif 000003
【図２】
2007047197.tif 000004
【図３】
2007047197.tif 000005
【図４】
2007047197.tif 000006
【図５】
2007047197.tif 000007
【図６】
2007047197.tif 000008
【図７】
2007047197.tif 000009
【図８】
2007047197.tif 000010
【図９】
2007047197.tif 000011
【図１０】
2007047197.tif 000012
【図１１】
2007047197.tif 000013
【図１２】
2007047197.tif 000014